(57)【要約】【課題】  マスター機からスレーブ機及びスプリット機にデータ伝送が行え、ネットワーク伝送に影響を与えることなく、スレーブ機からのデータもスプリット機に伝送する。【解決手段】  マスター機２と、スレーブ機６と、スプリット機８とが、スイッチングハブ４を介して接続され、マスター機２は、ブロードキャストでデータを伝送し、スレーブ機６は、マスター機２を宛先としたユニキャストでデータを伝送する。マスター機２は、自己が準備した送信データと、スレーブ機６から受信した受信データとを合成し、ブロードキャストで伝送する。【選択図】        図１
2008294802.tif 000002
【特許請求の範囲】
【請求項１】
送受信機能を有する主送受信端末装置と、送受信機能を有する副送受信端末装置と、受信機能を有する少なくとも１台の受信端末装置とが、ネットワークを介して接続され、前記主送受信端末装置は、自己以外の端末装置に対してデータを伝送し、前記副送受信端末装置は、前記主送受信端末装置に対してデータを伝送するデータ伝送システムにおいて、
前記主送受信端末装置は、自己が準備した送信データと、前記副送受信端末装置から受信した受信データとを合成し、自己以外の端末装置に対して伝送するデータ伝送システム。
【請求項２】
請求項１記載のデータ伝送システムにおいて、前記主送受信端末装置と前記副送受信端末装置とが伝送するデータは、パケットとして伝送され、前記主送受信端末装置から伝送されるパケットは、自己が準備したデータをパケット用に分割したパケット用データと、前記副送受信端末装置から受信したパケットのパケット用データとから構成されているデータ伝送システム。
【請求項３】
請求項２記載のデータ伝送システムにおいて、前記主送受信端末装置が準備したデータをパケット用に分割したパケット用データと、前記副送受信端末装置から受信したパケットのパケット用データとは、それぞれが複数チャンネルから構成されているデータ伝送システム。
【発明の詳細な説明】
【技術分野】
【０００１】
本発明は、データ伝送システムに関し、特に複数の端末装置間でデータ伝送するデータ伝送システムに関する。
【背景技術】
【０００２】
データ伝送システムの一例が、非特許文献１に開示されている。このデータ伝送システムは、或る主送受信端末装置、例えばマスター機器に３２チャンネルのアナログオーディオ信号が入力され、これらがデジタル化されて、スイッチングハブを介して副送受信端末装置、例えばスレーブ機器に伝送される。これらデジタルオーディオ信号は、スレーブ機器からコンソールに供給されて、８チャンネルのミキシング出力とされ、スレーブ機器からスイッチングハブを介して再びマスター機器に伝送され、マスター機器でアナログ音声信号に変換され、スピーカシステムに伝送される。また、マスター機器からの３２チャンネルのデジタルオーディオ信号は、スイッチングハブを介して受信用端末装置、例えばスプリット機器にも供給され、モニターコンソールに供給される。即ち、マスター機器、スレーブ機器及びスプリット機器とがネットワークで接続され、そのネットワークを介してマスター機器からスレーブ機器及びスプリット機器へデータ伝送が行われ、スレーブ機器からネットワークを介してマスター機器にデータ伝送が行われている。
【０００３】
【非特許文献１】２００５年  ローランド株式会社発行  Ｄｉｇｉｔａｌ  Ｓｎａｋｅ  Ｓ−４０００Ｓ  取扱説明書第６０頁
【発明の開示】
【発明が解決しようとする課題】
【０００４】
この伝送システムでは、スプリット機器は、マスター機器からのデジタルオーディオ信号を受信することはできるが、スレーブ機器からのデジタルオーディオ信号を受信することはできない。そのため、スプリット機器において、マスター機器からの３２チャンネルのデジタルオーディオ信号と、スレーブ機器からの８チャンネルミキシング出力とを、それぞれ録音することができない。
【０００５】
これは、非特許文献１に開示されていないが、マスター機器からのデジタルオーディオ信号のデータ伝送が、ブロードキャストによって行われているので、スレーブ機器及びスプリット機器にマスター機器からのデジタルオーディオ信号は伝送されるが、スレーブ機器からの伝送は、マスター機器に対してマスター機器を宛先としたユニキャストで行われているので、スプリット機器には伝送されないからである。例えば、スレーブ機器からブロードキャストで伝送すれば、スプリット機器においてもスレーブ機器からの８チャンネルミキシング出力を受信することはできる。しかし、ブロードキャストはネットワークの全域に配信されるため、使用頻度が高いとネットワークに過大な負荷をかけてしまうので、マスター機器及びスレーブ機器の双方からブロードキャストで伝送することは望ましくない。また、個別のユニキャストでマスター機器とスプリット機器とに伝送することも考えられるが、ネットワークに存在するパケットの数が増加するので、ネットワーク全体の伝送効率が低下する。
【０００６】
本発明は、主及び副送受信端末装置間と、主送受信端末装置及び受信端末装置間とで、それぞれデータ伝送が行える上に、ネットワーク伝送に影響を与えることなく、副送受信端末装置からのデータも受信端末装置に伝送することができるデータ伝送システムを提供することを目的とする。
【課題を解決するための手段】
【０００７】
本発明の一態様のデータ伝送システムでは、送受信機能を有する主送受信端末装置と、送受信機能を有する副送受信端末装置と、受信機能を有する少なくとも１台の受信端末装置とが、ネットワークを介して接続されている。前記主送受信端末装置は、自己以外の端末装置、即ち副送受信端末装置及び受信端末装置に対してデータを伝送する。このデータ伝送は、例えばブロードキャストによって行う。前記副送受信端末装置は、前記主送受信端末装置に対してデータを伝送する。このデータ伝送は、前記主送受信端末装置を宛先としてユニキャストによって行う。受信端末装置は複数台設置することができる。伝送するデータとしては、例えばディジタルオーディオデータやディジタルビデオデータ等を使用することができる。前記主送受信端末装置は、自己が準備した送信データ、例えば主送受信端末装置に供給されたデータと、前記副送受信端末装置から受信した受信データとを合成し、自己以外の端末装置に対して伝送する。
【０００８】
このように構成したデータ伝送システムでは、主送受信端末装置は、自己で準備したデータと、副送受信端末装置から伝送されてきたデータとを合成し、副送受信端末装置と受信端末装置とに伝送する。従って、受信端末装置では、主送受信端末装置と副送受信端末装置とでそれぞれ準備されたデータを受信することができる。なお、副送受信端末装置では、自己が送信したデータを再度受信することになるが、これは無視すればよいので、問題はない。このデータ伝送システムでは、副送受信端末装置が、自己のデータをブロードキャストで送信する必要はなく、また、副送受信端末装置が主送受信端末装置と受信端末装置とに同じデータを個別に伝送する必要が無く、ネットワークの負担となることはなく、円滑にデータ伝送を行える。
【０００９】
前記主送受信端末装置と前記副送受信端末装置とが伝送するデータは、パケットとして伝送することができる。前記主送受信端末装置から伝送されるパケットは、自己が準備したデータをパケット用に分割したパケット用データと、前記副送受信端末装置から受信したパケットのパケット用データとから構成されている。
【００１０】
このように構成すると、各パケットには、主送受信端末装置で準備したデータと副送受信端末装置で準備したデータとが含まれて、伝送されるので、ネットワークで伝送されるパケットの数が増加することがなく、ネットワークの負担となることがない。
【００１１】
前記主送受信端末装置が準備したデータをパケット用に分割したパケット用データと、前記副送受信端末装置から受信したパケットのパケット用データとは、それぞれが複数チャンネルから構成されているものとすることができる。
【００１２】
このように構成すると、多数のチャンネルのデータをネットワークの負担となることなく、円滑に伝送することができる。
【発明の効果】
【００１３】
以上のように、本発明によるデータ伝送装置では、主及び副送受信端末装置間と、主送受信端末装置及び受信端末装置間とで、それぞれデータ伝送が行える上に、ネットワーク伝送に影響を与えることなく、副送受信端末装置からのデータも受信端末装置に伝送することができる。
【発明を実施するための最良の形態】
【００１４】
本発明の第１の実施形態のデータ伝送システムは、オーディオ信号を伝送するもので、図１に示すように、主送受信端末装置、例えばマスター機器２を有している。
【００１５】
マスター機器２は、複数、例えば３２チャンネルの入力を有し、これには、音源、例えば演奏会場のステージ上に設けられた３２本のマイクロホン等からのアナログオーディオ信号が供給される。これらアナログオーディオ信号は、マスター機器２においてデジタルオーディオ信号に変換される。これらオーディオ信号は、パケットデータに分割され、１つのパケットに３２チャンネル分のパケットデータを含めた状態で、パケット伝送される。これらパケットは、ブロードキャストで伝送され、スイッチングハブ４を介して、副送受信端末装置、例えばスレーブ機器６と、受信端末装置、例えばスプリット機器８とに伝送される。
【００１６】
スレーブ機器６は、例えば演奏会場のフロントオブハウスに配置され、受信した各パケットから３２チャンネルのデジタルオーディオ信号を復元し、デジタル信号処理手段、例えばミキシング用のコンソール１０に供給する。コンソール１０では、これら３２チャンネルのデジタルオーディオ信号を、８チャンネルのデジタルオーディオ信号にミキシングして、スレーブ機器６に出力する。スレーブ機器６は、このコンソール１０からのデジタルオーディオ信号をパケットデータに分割し、１つのパケットに８チャンネル分のパケットデータを含めた状態で、パケット伝送する。これらパケットは、マスター機器２を宛先としたユニキャストで伝送され、スイッチングハブ４を介して、マスター機器２に伝送される。
【００１７】
マスター機器２では、スレーブ機器６から伝送されたパケットデータを、アナログオーディオ信号に変換して、スピーカシステムに供給して、拡声する。また、スレーブ機器６から伝送されたパケットデータを、スレーブ機器６へ伝送しようとするパケットデータと合成して、新たなパケットを生成する。新たな１つのパケットは、３２本のマイクロホン等からのアナログオーディオ信号をデジタル化した３２チャンネル分のデジタルオーディオ信号に続けて、スレーブ機器６から伝送された８チャンネル分のデジタルオーディオ信号を設けたものである。このパケットは、ブロードキャストで、スイッチングハブ４を介してスレーブ機器６及びスプリット機器８に伝送される。
【００１８】
その結果、スプリット機器８には、マスター機器２からのデジタルオーディオ信号と、スレーブ機器６からのデジタルオーディオ信号とが伝送されることになる。このスプリット機器８に伝送されたパケットは、デジタルオーディオ信号に復元され、そのまま、或いはアナログ信号に変換されて、処理手段、例えば録音装置１２に供給され、記録される。これによって、録音装置１２では、３２本のマイクロホン等からの３２チャンネルのオーディオ信号と、コンソール１０によってミキシングされた８チャンネルのオーディオ信号との双方を個別に記録することができる。
【００１９】
なお、スレーブ機器６にも、３２本のマイクロホン等からの３２チャンネルのオーディオ信号と、コンソール１０によってミキシングされた８チャンネルのオーディオ信号との双方が伝送されるが、このうちミキシングされた８チャンネルのオーディオ信号は、スレーブ機器６自身が送信したものであるので、無視され、３２チャンネルのオーディオ信号のみをコンソール１０に出力する。
【００２０】
このデータ伝送システムでは、上述した従来技術では不可能であったスレーブ機器６からのデータをスプリット機器８へ伝送することができる。しかも、その伝送は、スレーブ機器６から伝送したデータを、マスター機器２において、マスター機器２から伝送するデータと合成して、マスター機器２から同じパケットによって伝送している。そのため、この伝送システムでは、マスター機器２からブロードキャストで伝送されるパケットと、スレーブ機器６からマスター機器２を宛先としたユニキャストで伝送されるパケットとだけが伝送され、スレーブ機器６からスプリット機器８に向けたパケットは伝送されず、ネットワークに存在するパケットの数を減少させることができる。しかも、各パケットは、スレーブ機器６から伝送した複数チャンネルからなるデータと、マスター機器２から元々伝送する複数チャンネルのデータとから構成されているので、ネットワークで伝送するパケットの数を更に減少させている。一般に、データをパケット化する際には、分割されたデータにヘッダーを付加するが、このヘッダーの構成が冗長である。また、連続するパケットを伝送する場合、パケット間には一定の間隔をプロトコル上設ける必要がある。従って、ネットワークで伝送されるパケットの数が増加すると、伝送効率が落ちたり、トラフィックが必要以上に増える。このデータ伝送システムでは、上述したようにネットワークに伝送されるパケットの数を減少させているので、伝送効率の低下やトラフィックの必要以上の増加を防止することができる。
【００２１】
第２の実施形態のデータ伝送システムは、図２に示すように、マスター機器２ａ、スレーブ機器６ａ及びスプリット機器８ａ間に、２つのスイッチングハブ４ａ、４ｂが設けられている。マスター機器２ａとスイッチングハブ４ａとの間に伝送路Ａが形成され、スイッチングハブ４ａとスレーブ機器６ａとの間に伝送路Ｂが形成されている。マスター機器２ａとスイッチングハブ４ｂとの間に伝送路Ｃが形成され、スイッチングハブ４ｂとスレーブ機器６ａとの間に伝送路Ｄが形成されている。スイッチングハブ４ａとスプリット機器８ａとの間に伝送路Ｅが形成され、スイッチングハブ４ｂとスプリット機器８ａとの間に伝送路Ｆが形成されている。
【００２２】
マスター機器２ａは、第１の実施形態と同様にブロードキャストによって、データ伝送するので、伝送路Ａ、Ｃを介してマスター機器２ａから伝送されたパケットは、スイッチングハブ４ａから伝送路Ｂを経てスレーブ機器６ａへ、伝送路Ｅを経てスプリット機器８ａに伝送され、同様にスイッチングハブ４ｂから伝送路Ｄを経てスレーブ機器６ａへ、伝送路Ｆを経てスプリット機器８ａに伝送される。
【００２３】
スレーブ機器６ａでは、伝送路Ｂ、伝送路Ｄを介して伝送されるパケットに付随するキャリア、例えばパケットのフレームに含まれるプリアンブルを検出できるか判定しており、キャリアを検出することができた伝送路ＢまたはＤからパケットを受信する。このキャリアの検出は、パケットの受信完了に先だって行えるので、伝送路ＢまたはＤの切換に、このキャリア検出を利用するのは有効である。また、スレーブ機器６ａは、このようにして受信用に切り換えられた伝送路ＢまたはＤを介してパケットをマスター機器２ａ側に向かってマスター機器２ａを宛先としたユニキャストで伝送する。
【００２４】
マスター機器２ａでも、伝送路Ａ、Ｃを介して伝送されるパケットに付随するキャリアを検出できるか判定しており、キャリアを検出することができた伝送路ＡまたはＣからパケットを受信する。
【００２５】
スプリット機器８ａも、伝送路ＥまたはＦを介して伝送されるパケットに付随するキャリアを検出できるか判定しており、キャリアを検出することができた伝送路ＥまたはＦからパケットを受信する。
【００２６】
第２の実施形態のデータ伝送システムでは、マスター機器２ａが２つのスイッチングハブ４ａ、４ｂを介してパケットをスレーブ機器６ａ及びスプリット機器８ａに向けて伝送し、スレーブ機器６ａも２つのスイッチングハブ４ａ、４ｂを介してマスター機器２ａに向けてパケットを伝送しているので、スイッチングハブ４ａ、４ｂのいずれかが故障しても、他のスイッチングハブに繋がる伝送路を介してパケットが伝送されるので、確実に伝送を行うことができる。また、伝送路Ａ、Ｃのいずれかに障害が生じても、残った伝送路によってパケットの伝送が行える。伝送路Ｂ、Ｅのいずれに障害が生じた場合でも、伝送路Ｄ、Ｆのいずれに障害が生じた場合でも、同様にパケットの伝送が行える。
【００２７】
第１の実施形態では、１台のスイッチングハブ４を用いたが、第２の実施形態のように２台のスイッチングハブを使用することもできる。逆に、第２の実施形態において、１台のスイッチングハブを使用することもできる。また、スプリット機器を複数台設けることもできる。
【図面の簡単な説明】
【００２８】
【図１】本発明の第１の実施形態のデータ伝送システムのブロック図である。
【図２】本発明の第２の実施形態のデータ伝送システムのブロック図である。
【符号の説明】
【００２９】
２  ２ａ  マスター機器（主送受信端末装置）
６  ６ａ  スレーブ機器（副送受信端末装置）
８  ８ａ  スプリット機器（受信端末装置）  
【図１】
2008294802.tif 000003
【図２】
2008294802.tif 000004